(57)【要約】【課題】小型軽量化が容易で、操作が容易で、小回りも利き、取扱いが容易で、多様な場所で使用できる動力式の刈草集草機を提供する。【解決手段】エンジン６を搭載した一輪式の走行装置１の進行方向前面側にブラシ装置２を配置し、ブラシ装置２の取手２３を、ブラシ面が地面に沿う姿勢に保持されるとともに走行装置１が走行姿勢に保持される位置で走行装置１のフレーム３に着脱自在に固定し、エンジン６の動力で走行用車輪７を駆動し、地面に沿って走行装置１の進行方向にブラシ装置２を押し動かして草集めするよう刈草集草機を構成する。【選択図】図１
0003216095.tif 000002
【実用新案登録請求の範囲】
【請求項１】
下部に走行用車輪を軸支装着する車輪装着部を有し上部に操向用のハンドル部を有するフレームに原動機並びに該原動機から前記走行用車輪に動力を伝達する動力伝達機構を搭載してなる一輪式の走行装置の進行方向前面側に、裏面に繊維状のブラシ材が植毛されたブラシ台に取手が取り付けられてなるブラシ装置を配置し、該ブラシ装置をブラシ面が地面に沿う姿勢に保持するとともに前記走行装置を走行姿勢に保持する位置で前記ブラシ装置の取手を前記走行装置のフレームに着脱自在に固定してなることを特徴とする刈草集草機。
【請求項２】
前記ブラシ装置のブラシ台に、該ブラシ台を後方から支えてブラシ面が地面に沿う姿勢で移動させる台車用車輪が取り付けられていることを特徴とする請求項１に記載の刈草集草機。
【考案の詳細な説明】
【技術分野】
【０００１】
本考案は刈り取った草を集めるのに使用する刈草集草機に関するものである。
【背景技術】
【０００２】
公園、空き地、河川敷、土手等の草刈り作業で刈り取った草は、熊手やシートを用いて人力で掻き集め、所定の場所に搬送して処分するのが一般的である。しかし、草刈りする面積が広大で大量の刈草が発生する場合は、人力だけでは集草作業が容易でない。そこで、くまで型の刈草集め具をパワーショベル等のバケットに取り付けて草集めするもの（例えば、特許文献１参照。）や、櫛状の押し部材を自走車の前面に取り付けて草集めするもの（例えば、特許文献２参照。）など、動力を利用した集草装置も提案されている。
【先行技術文献】
【特許文献】
【０００３】
【特許文献１】実用新案登録第３０５１１１３号公報
【特許文献２】特開２００３−４８号公報
【考案の概要】
【考案が解決しようとする課題】
【０００４】
しかしながら、従来の動力式の集草装置は、いずれも大型で重量が大きく、操作も容易でないため、それほど広くない場所や、立ち木等が林立して作業スペースが狭い場所や、傾斜が急な場所等での使用には適しない。
【０００５】
本考案は、小型軽量化が容易で、操作が容易で、小回りも利き、取扱いが容易で、多様な場所で使用できる動力式の刈草集草機を提供することを目的とする。
【課題を解決するための手段】
【０００６】
本考案の刈草集草機は、原動機を搭載した一輪式の走行装置にブラシ装置を取り付け、原動機の動力で走行用車輪を駆動し、地面に沿って走行装置の進行方向にブラシ装置を押し動かすことにより刈草を集めるようにしたものである。
【０００７】
ブラシ装置は走行装置の進行方向前面側に配置し、ブラシ装置の取手を、ブラシ面が地面に沿う姿勢に保持されるとともに走行装置が走行姿勢に保持される位置で走行装置のフレームに着脱自在に固定する。
【０００８】
走行装置の本体部分は剛性の高い金属製のフレームで構成されている。フレームは、下部に一輪の走行用車輪を軸支装着する車輪装着部を有し、上部に操向用のハンドル部を有するもので、原動機と、原動機から走行用車輪に動力を伝達する動力伝達機構を搭載している。
【０００９】
原動機は、例えば、エンジン（ガソリンエンジン、ディーゼルエンジン等）であり、また、バッテリーを備えた電動モータであってもよい。
【００１０】
フレームは、例えば、中央部分に原動機を出力軸を下に向けた姿勢で支持固定する原動機搭載部を設け、その原動機搭載部に、前方斜め下へ直線状に延びて先端に車輪装着部を形成するパイプ状の下部フレームと、後方斜め上へ延びて操向用のハンドル部を形成するパイプ状の上部フレームとを一体に連設したものとする。そして、例えば、原動機の出力軸に連結した伝達軸を下部フレームの内側を通してフレーム下端部でギヤ機構を介し車輪駆動軸に伝動連結するよう動力伝達機構を配設する。
【００１１】
走行用車輪は、例えば、ハブにスポークを介してリムが固定されたタイヤ付きの車輪であるのがよく、特に、オフロード仕様の車輪が好適である。
【００１２】
ブラシ装置は、裏面に繊維状のブラシ材が植毛されたブラシ台に取手を固定したものである。ブラシ材には、適度の弾性および剛性を有するナイロン、ポリプロピレン等の合成樹脂の線材や、シダ、シュロ等の天然素材を用いる。そして、取手は、例えば、ブラシ台の長手方向中央に後方斜め上方へ棒状に延びるものとする。
【００１３】
ブラシ台には、ブラシ台を後方から支えてブラシ面が地面に沿う姿勢で移動させる台車用車輪を取り付けたるのがよい。
【００１４】
この刈草集草機は、作業者が地面に立った姿勢でハンドル部を握って操作する一輪式の走行装置にブラシ装置を固定したシンプルは構造で小型軽量化が容易である。そして、ブラシ装置を押し動かす方向はハンドル部の操作により自在に調整でき、また、ハンドル部を押し下げてブラシ台を地面から離し、走行用車輪だけが着地した状態にして、容易に進行方向を反転させることもできる。そのため、操作が容易で、小回りも利き、取扱いが容易で、作業場所の多様な条件に対応でき、多様な場所で使用できる。
【考案の効果】
【００１５】
本考案によれば、動力式の刈草集草機を、小型軽量化が容易で、操作が容易で、小回りも利き、取扱いが容易で、多様な場所で使用できるものとすることができる。
【図面の簡単な説明】
【００１６】
【図１】本考案の実施形態の一例の刈草集草機の斜視図である。
【考案を実施するための形態】
【００１７】
図１は本考案の実施形態の一例を示している。この実施形態の刈草集草機は、動力付一輪式の走行装置１とブラシ装置２とで構成されている。
【００１８】
走行装置１は、ステンレス製のフレーム３（ステンレス以外の金属を使用してもよい）を備えている。そして、そのフレーム３は、中央部分にエンジン搭載部３ａ（原動機搭載部）を設け、そのエンジン搭載部３ａに、前方斜め下へ直線状に延びて先端に車輪装着部４を形成するパイプ状の下部フレーム３ｂと、左右２本に分かれて後方斜め上へ延び、上端が水平方向に連結されて操向用のハンドル部５を形成するパイプ状の上部フレーム３ｃとを一体に連設したものである。ハンドル部５には左右にグリップ５ａ、５ｂが設けられ、右手用グリップ５ａの近傍にエンジン操作用のスロットルレバー１２が設けられている。
【００１９】
フレーム３は、エンジン搭載部３ａに、原動機であるエンジン６（ガソリンエンジン、ディーゼルエンジン等）が出力軸（図示せず）を下に向けた姿勢で挿着されて支持固定され、車輪装着部４に走行用車輪７が装着されている。
【００２０】
走行用車輪７は、ハブ８にスポーク９を介してリム１０が固定されタイヤ１１が装着された車輪であり、フロード仕様の車輪が好適である。
【００２１】
そして、エンジン６の出力軸に連結された伝達軸（図示せず）が下部フレーム３ｂの内側に通って車輪装着部４まで延び、その伝達軸が下部フレーム３ｂの先端に付設されたギヤケース１３の内部のギヤ機構（図示せず）を介して、下部フレーム３ｂに直交して軸支された車輪駆動軸（図示せず）に伝動連結され、これらがエンジン６の出力を走行用車輪７に伝達する動力伝達機構を構成している。
【００２２】
ブラシ装置２は、長さ６０〜１８０ｃｍ（例えば１２０ｃｍ程度）の細長いブラシ台２１の裏面に繊維状のブラシ材２２を束ねて、毛足の長さが１００〜２００ｃｍ（例えば１４０ｍｍ程度）のブラシとなるよう複数列に植毛するとともに、ブラシ台２１に棒状の取手２３を固定したものである。ブラシ装置２は、グラウンドやテニスコートで使用される整地用のブラシを利用したものであってよい。
【００２３】
ブラシ材２２には、例えば、ナイロン線材とポリプロピレン線材とを混合したものである。ブラシ材２２としては、適度の弾性および剛性を有するナイロン、ポリプロピレン等の化学樹脂の線材や、シダ、シュロ等の天然素材が適している。
【００２４】
取手２３は、長さ約１２０ｃｍ（これに限るものではない）の金属製（例えばステンレス製）のパイプ材を使用したもので（木製あるいは樹脂製であってもよい）、ブラシ台２１の長手方向（ブラシ幅方向）の中央に取付金具２４を介し後方斜め上へ向けて取り付けている。
【００２５】
そして、ブラシ台２１には、左右２箇所に、ブラシ台２１を後方から支えてブラシ面が地面に沿う姿勢で移動させるよう、段付固定金具２５、２５を介して台車用車輪２６、２６を取り付けている。
【００２６】
ブラシ装置２は、取手２３を後側に向けて走行装置１の進行方向前面側に配置し、その取手２３を、ブラシ面が地面に沿う姿勢に保持されるとともに走行装置１が走行姿勢に保持される位置で、走行装置１のフレーム３の上部フレーム３上端のハンドル部５の中央部分と、エンジン搭載部３ａに固定された支持アーム３１との２箇所で、連結金具３２、３３を用いて着脱自在に固定している。
【００２７】
この刈草集草機は、作業者が地面に立った姿勢で操作する一輪式の走行装置１にブラシ装置２を固定したシンプルは構造で小型軽量化が容易である。そして、ブラシ装置２を押し動かす方向はハンドル部５の操作により自在に調整できる。また、ハンドル部５を押し下げてブラシ台２１を地面から離し、走行用車輪７だけが着地した状態にして、容易に進行方向を反転させることもできる。そのため、、操作が容易で、小回りも利き、取扱いが容易で、作業場所の多様な条件に対応でき、多様な場所で使用できる。
【００２８】
以上、本考案の実施形態の一例を説明したが、本考案はその他様々な実施形態が可能である。走行装置は、図示の例に限らず、他の様々な形状、構造のものであってよい。走行装置に搭載する原動機は、バッテリーを備えた電動モータであってもよい。ブラシ装置もまた、図示の例に限らす、他の様々な形状、構造のものであってよい。
【符号の説明】
【００２９】
１  走行装置
２  ブラシ装置
３  フレーム
３ａ  エンジン搭載部（原動機搭載部）
３ｂ  下部フレーム
３ｃ  上部フレーム
４  車輪装着部
５  ハンドル部
５ａ、５ｂ  グリップ
６  エンジン（原動機）
７  走行用車輪
８  ハブ
９  スポーク
１０  リム
１１  タイヤ
１２  スロットルレバー
１３  ギヤケース
２１  ブラシ台
２２  ブラシ材
２３  取手
２４  取付金具
２５  段付固定金具
２６  台車用車輪
３１  支持アーム
３２、３３  連結金具
【図１】
0003216095.tif 000003